(57)【要約】【課題】トレーラーハウス内に岩盤浴用施設を設けることによりそれらからの放射エネルギーを浴び、快適で且つ積極的に健康状態を良好とすることができ、且つ安価にてそれら施設を利用することができるトレーラーハウスを提供するものである。【解決手段】牽引車によって移動可能なトレーラーハウスにおいて、該ハウス内に遠赤外線、マイナスイオン或いは低線量域の放射線を各々放出する自然石を利用した岩盤浴用施設及びそれに関連した設備とを設けたことを特徴とするトレーラーハウス。【選択図】図２
0003127532.tif 000002
【実用新案登録請求の範囲】
【請求項１】
牽引車によって移動可能なトレーラーハウスにおいて、該ハウス内に遠赤外線、マイナスイオン或いは低線量域の放射線を各々放出する自然石を利用した岩盤浴用施設及びそれに関連した設備とを設けたことを特徴とするトレーラーハウス。
【請求項２】
岩盤浴用施設には該施設を区画するためのパーティションを適宜立設してなることを特徴とする請求項１に記載のトレーラーハウス。
【請求項３】
設備として、自然石加熱手段を設けたことを特徴とする請求項１又は２に記載のトレーラーハウス。
【請求項４】
設備として、トイレ、パウダー施設、照明設備、音響設備、空調設備等の全て或いはいずれか１以上の設備を設けたことを特徴とする請求項１乃至３のいずれかに記載のトレーラーハウス。
【請求項５】
クールダウンルーム、シャワー施設、パウダー施設、ロッカールーム、受付施設或いはフォトショップ・カラオケルーム・テイクアウトショップ・ショットバー・喫茶等の施設等のいくつかを備えた他のトレーラーハウスと連結可能としたことを特徴とする請求項１乃至４のいずれかに記載のトレーラーハウス。
【考案の詳細な説明】
【技術分野】
【０００１】
本考案は、特定位置から他の位置へ自由に移動可能で、また、中・長期滞在施設として使用することもできるトレーラーハウスであって、該ハウス内に岩盤浴用施設とそれに関連した設備を設けたことを特徴とするトレーラーハウスに関するものである。
【背景技術】
【０００２】
図１に示すように、トレーラーハウスは乗用車・トラック等の車両によりそのまま牽引移動し、キャンプ地や別荘地等、様々な箇所に留めて設置することができ、その内側には通常の家屋と同様な居室や様々な設備を設けることにより、牽引移動先において家屋と同様に使用することを可能としている。
【０００３】
従って、上記トレーラーハウス内には、戸建住宅と同様、通常の生活を行う上で必要となる台所、居室、寝室及びトイレ等が設けられ、洗面及びレンジ・冷蔵庫等の電化製品等の設備やベッド・ソファー・家具等の什器類等が設けられている。
【０００４】
他方、別荘、セカンドハウス、書斎、子どもの勉強部屋、アトリエ、介護用施設等の通常の家屋とは異なった目的となる別の使用形態、或いはフォトショップ・カラオケルーム・テイクアウトショップ・ショットバー・喫茶店・美容室・ペット用トリミングルーム等の各種店舗、事務所、宿泊施設、各種福利厚生施設等の居住とは異なった使用形態としても利用されている。
【０００５】
上記のように、トレーラーハウスは様々な使用形態を可能とし、且つ価格的に安価であり、更に、一般的な使用形態では不動産取得税や固定資産税等の税金を必要としない点や、車両としての自動車税も不要であり、イニシャルコストばかりでなくランニングコストも安価であり、近年、日本国においても利用が増加している。
【０００６】
トレーラーハウスは、上記のように一般的な居住空間として使用する場合、或いは宿泊施設、福利厚生施設、介護用施設等に使用する場合、その内側に浴室及びその関連施設が設けられていることがある。しかし、それらにおける浴室はシャワー室であったり、お湯が充満されるバスタブ形式のものにすぎなかった。
【特許文献１】実用新案登録第３０９３４８５号公報
【考案の開示】
【考案が解決しようとする課題】
【０００７】
上記浴室は、シャワータイプの洋風のもの或いはバスタブタイプの和風のもののいずれも従来の浴室形態をそのまま採用しているものであり、身体への精神的、物理的の両側面から健康の維持増進を積極的に推し進めるに到るものではなかった。また、シャワータイプにしてもバスタブタイプにしてもお湯を大量に必要とし、そのための給・排水設備や浄化装置等をトレーラーハウスの内・外に設けることが必要となり、イニシャルコスト及びランニングコストが極めて高いものとなっていた。
【０００８】
本考案は、上記欠点を解決したもので、トレーラーハウス内に岩盤浴用施設を設けることによりそれらからの放射エネルギーを浴び、快適で且つ積極的に健康状態を良好とすることを可能とし、且つ安価にてそれら施設を利用することができるトレーラーハウスを提供するものである。
【課題を解決するための手段】
【０００９】
牽引車によって移動可能なトレーラーハウスにおいて、該ハウス内に遠赤外線、マイナスイオン或いは低線量域の放射線を各々放出する自然石を利用した岩盤浴用施設とそれに関連した設備とを設けたトレーラーハウスを特徴とする。
【００１０】
また、岩盤浴用施設には該施設を区画するためのパーティションを適宜立設してなるトレーラーハウスを特徴とする。
【００１１】
更に、上記設備として、自然石加熱手段を設けたトレーラーハウスを特徴とする。
【００１２】
また、上記設備として、トイレ、パウダー施設、照明設備、音響設備、空調設備等の全て或いはいずれか１以上の設備を設けたトレーラーハウスを特徴とする。
【００１３】
更に、クールダウンルーム、シャワー施設、パウダー施設、ロッカールーム、受付施設或いはフォトショップ・カラオケルーム・テイクアウトショップ・ショットバー・喫茶等の施設等のいくつかを備えた他のトレーラーハウスと連結可能としたトレーラーハウスを特徴とする。
【考案の効果】
【００１４】
本考案は、身体の健康の維持増進或いは身体の治癒に良好な岩盤浴用施設を、自分が望む場所に適宜牽引移動することができ、従来の定まった場所へ出かけて行っての岩盤浴とは異なった態様での利用を可能とした。
【００１５】
また、例えば、森林浴を可能とするキャンプ場或いは山林の中、田畑、河川、海や湖等々に隣接する位置に本考案のトレーラーハウスを設置することにより、本来有している岩盤浴の効果に加えて森林浴効果をも併せ得ることを可能とし、相乗効果を達成することを可能とした。
【００１６】
更に、トレーラーハウスとして予め構造体及びその内装等が工場生産されるので低価格として提供されることによるイニシャルコストの安価に加え税金面を含めた維持管理上での低いランニングコスト等により、従来のものと比較して極めて低価格で岩盤浴用施設を利用できることを可能とした。
【考案を実施するための最良の形態】
【００１７】
図１は、牽引されている状態のトレーラーハウス１を示している。該トレーラーハウス１は車輪２が設けられているので車両３により簡単に牽引され、適宜な場所へ移動させることができる。
【００１８】
トレーラーハウス１の構造は主として軽量鉄骨により骨組され、場合によってはツーバイフォー形式の木造骨組が使用される。全体形状は長方形状で、屋根は図１では切妻としているが、その他、片流れ、招き、寄棟、入母屋、反り、腰折、マンサード、駒形、蒲鉾及び鋸形等の様々なものが選択できる。
【００１９】
屋根及び外壁面は鋼板やサイディング或いは窯業系・合成樹脂系材料等により形成される。内壁はプリント合板、ビニールクロス、化粧石膏ボードの他、メタリックカラー建材等の仕上材が使用される。床材としてはクッションフロア等の合成樹脂系のものからフローリング等の木質系のもの等、いずれの部位においても様々な種類の仕上材が使用される。
【実施例１】
【００２０】
図２は、トレーラーハウス１の内側を平面的に示したもので、外壁面には出入口４、非常口５及び窓６が設けられ、内側のレイアウトとしては、岩盤浴用施設７の他、片側通路８、トイレ９、洗面所１０、風除室１１及び物入れ１２が各々設けられている。
【００２１】
上記岩盤浴用施設７には、遠赤外線、マイナスイオン或いは低線量域の放射線を各々放出する自然石を敷設し、該自然石の下方部には加熱手段、上方部には横臥手段を設けている。
【００２２】
自然石としては岩盤浴用鉱石といわれる黒鉛珪石、ラジウム鉱石、斑状花崗閃緑岩、麦飯石、モナズ石、電気石、天源石、トルマリン等が採用され、それらのものを所定の大きさに塊状としたもの或いは粉状にしたものを袋等に詰めて設置して使用したり何等かの固定手段により固めて使用する。また、セメント等の中に混合してコンクリート体としたものを塊状或いは片状又は板状にして使用することも可能である。軽量コンクリートを使用することにより全体を軽量化することも可能である。
【００２３】
上記自然石は遠赤外線作用、マイナスイオン作用及びホルミシス作用をなすことができ、低線量域の放射線を放出することもでき、身体にとって安全なことはもとより、血流の循環を良好とし、細胞の働きを活性化することができる。また、身体を芯から温めることができ、かゆみもとれて、アトピーや冷え性を解消できた事例が多数報告されている。
【００２４】
また、睡眠が十分にとれ、疲労を早期に回復し、朝の目覚めを良くすることを可能としている。更に、放射エネルギーを浴びることにより患部が治癒されたことも多く報告されている。
【００２５】
自然石加熱手段としては、トレーラーハウス１の底部に硬質の断熱材や遮熱板を設け、その上面にヒータ等の加熱手段を設ける。
【００２６】
上記加熱手段は、上記自然石を片状や板状に固めたものの下方部に該板状体と一体化して埋設設置することも可能である。加熱する手段としては電気、ガス或いはお湯を循環させる等の一般的加熱装置が使用される。また、温度調整を可能とするコントローラーを設けておくことができる。
【００２７】
横臥手段としては、弾力性を付与するためのゴムやクッション材或いはそれらを介してシート状の薄状物等を自然石の上部に敷設する。場合によっては自然石上に直接であっても良い。
【００２８】
本実施例１の岩盤浴用施設７としては、図２に示すように、９箇所の横臥手段を設け、それらを６箇所分と３箇所分とに分け、パーティション１３により仕切っている。仕切ることにより、家族用或いは半個室用として使用することも可能である。パーティション１３の高さは適宜選択することができる。
【００２９】
該岩盤浴用施設７の縁部側には、通路８を形成し、各横臥手段への往来を可能としている。また、通路８の端となるトレーラーハウス１の一端部側には、トイレ９や洗面所１０等を設けている。更に、通路８の端部にはドア等を介して風除室１１を設け、他の施設へ連絡可能な出入口４を設けている。本実施例１では出入口４の建具として引戸を設けている。
【００３０】
上記実施例１では洗面所を設けているが、これは適宜選択することができる。また、必要に応じてシャワー室や更衣室等を設けることもできる。
また、照明設備や必要に応じて音響設備、空調設備等を備えることも可能である。
【実施例２】
【００３１】
図３は、トレーラーハウス１´を平面的に示した他の実施例で、岩盤浴用施設７´としてパーティション１３´により仕切られた２名用の半個室の適数個と家族用として４名用の横臥手段とを設けている。
【実施例３】
【００３２】
図４は、上記実施例１に示したトレーラーハウス１を他の別のレイアウトを有するトレーラーハウス１４と出入口４を介して連結設置した状態を示している。
【００３３】
他のトレーラーハウス１４としては、ソファーやテーブル・自動販売機・テレビ・音響施設等を設けたクールダウンルーム１５、シャワーやパウダールームを兼ねる男・女性用ロッカールーム１６、１７が各々設けられ、外部と面する側にロビー１８及び受付カウンター１９等を設けている。
【００３４】
また、設置した該トレーラーハウス１４の外側で且つ上記ロビー１８に接する箇所には、該ロビー１８へのエントランス２０を設けている。更に、クールダウンルーム１５、ロッカールーム１６、１７等に接する通路２１側に沿って、該トレーラーハウス１４の外側にテラス２２を設け、ドア２３を介して該テラス２２へ出入できるように形成している。
【実施例４】
【００３５】
図５は、上記実施例２に示したトレーラーハウス１´を他の別のレイアウトを有するトレーラーハウス１４と出入口４´を介して連結した状態を示している。他のトレーラーハウス１４のレイアウトは上記実施例３のものと同様である。
【００３６】
図６は、図４又は図５に示すトレーラーハウス１又は１´と他のトレーラーハウス１４とを連結した状態を正面側（図４に示す矢印Ａ方向）から見た状態の立面図である。同様に、図７は、図４又は図５に示すトレーラーハウス１又は１´と他のトレーラーハウス１４とを連結した状態を側面側（図４に示す矢印Ｂ方向）から見た状態の立面図を示している。
【００３７】
本考案のトレーラーハウス１、１´及びそれらと他のトレーラーハウス１４との連結設置状態については上記実施例１乃至４において図を示して詳述したが、本考案のトレーラーハウスにおけるレイアウトは上記実施例１、２に限定されるものではない。また、該トレーラーハウスに連結設置される他のトレーラーハウスにおいても上記実施例３、４に限定されるものではない。例えば、他のトレーラーハウスにおいて、フォトショップ・カラオケルーム・テイクアウトショップ・ショットバー・喫茶等の施設の内のいくつかを備えたものと連結することも可能である。
【図面の簡単な説明】
【００３８】
【図１】本考案のトレーラーハウスを牽引している状態を示す斜視図。
【図２】本考案のトレーラーハウスの平面図。
【図３】本考案のトレーラーハウスの他の実施例の平面図。
【図４】本考案のトレーラーハウスを他のトレーラーハウスと連結設置した状態を示す平面図。
【図５】本考案のトレーラーハウスを他のトレーラーハウスと連結設置した状態を示す他の実施例の平面図。
【図６】本考案のトレーラーハウスを他のトレーラーハウスと連結設置した状態を示す正面側立面図。
【図７】本考案のトレーラーハウスを他のトレーラーハウスと連結設置した状態を示す側面側立面図。
【符号の説明】
【００３９】
１、１´    トレーラーハウス
２          車輪
３          車両
４、４´    出入口
５          非常口
６          窓
７、７´    岩盤浴用施設
８          片側通路
９          トイレ
１０          洗面所
１１          風除室
１２          物入れ
１３、１３´  パーティション
１４          他のトレーラーハウス
１５          クールダウンルーム
１６          男性用ロッカールーム
１７          女性用ロッカールーム
１８          ロビー
１９          カウンター
２０          エントランス
２１          通路
２２          テラス
２３          ドア
【図１】
0003127532.tif 000003
【図２】
0003127532.tif 000004
【図３】
0003127532.tif 000005
【図４】
0003127532.tif 000006
【図５】
0003127532.tif 000007
【図６】
0003127532.tif 000008
【図７】
0003127532.tif 000009